(57)【特許請求の範囲】
【請求項１】
屋外と隣接する側壁に窓ガラスを有する冷暖房対象室のペリメータゾーンの天井の温度を周囲の空気の温度とは異なる温度に変える天井変温装置と；
前記冷暖房対象室内で前記窓ガラスを覆うように前記窓ガラスとの間に隙間をあけて、前記天井変温装置によって温度が変化させられる前記ペリメータゾーンの天井の鉛直下方に設けられ、前記窓ガラスを透過して前記冷暖房対象室内に入る日射を遮る開閉自在の遮蔽部材とを備え；
前記遮蔽部材が、前記ペリメータゾーンの天井の直近下方に高さ方向が所定の距離の開口が形成されて前記ペリメータゾーンの天井に取り付けられ；
前記所定の距離に相当する長さのスペーサであって、前記天井変温装置によって温度が変化させられる前記ペリメータゾーンの天井と前記遮蔽部材とを接続するスペーサを備える；
冷暖房システム。
【請求項２】
前記ペリメータゾーンの天井が、前記窓ガラス側の一部である屋外側天井が前記遮蔽部材の一部を収容可能に上方に窪み、前記窓ガラス側とは反対側の残部である屋内側天井が前記冷暖房対象室のインテリアゾーンの天井と面一に形成され；
前記屋外側天井及び前記屋内側天井の双方が、前記天井変温装置により温度が変化させられるように構成された；
請求項１に記載の冷暖房システム。
【請求項３】
前記冷暖房対象室のインテリアゾーンの天井に設けられた放射パネルであって、熱媒体により温度が変化させられる放射パネルを備え；
前記天井変温装置が、前記放射パネルと熱交換した後の前記熱媒体により前記ペリメータゾーンの天井の温度を変化させるように構成された；
請求項１又は請求項２に記載の冷暖房システム。
【請求項４】
屋外と隣接する側壁に窓ガラスを有する冷暖房対象室のペリメータゾーンの天井の温度を周囲の空気の温度とは異なる温度に変える天井変温装置と、
前記冷暖房対象室内で前記窓ガラスを覆うように前記窓ガラスとの間に隙間をあけて、前記天井変温装置によって温度が変化させられる前記ペリメータゾーンの天井の鉛直下方に設けられ、前記窓ガラスを透過して前記冷暖房対象室内に入る日射を遮る開閉自在の遮蔽部材とを備え、
前記遮蔽部材が、前記ペリメータゾーンの天井の直近下方に高さ方向が所定の距離の開口が形成されて前記ペリメータゾーンの天井に取り付けられ、
前記ペリメータゾーンの天井が、前記窓ガラス側の一部である屋外側天井が前記遮蔽部材の一部を収容可能に上方に窪み、前記窓ガラス側とは反対側の残部である屋内側天井が前記冷暖房対象室のインテリアゾーンの天井と面一に形成され、
前記屋外側天井及び前記屋内側天井の双方が、前記天井変温装置により温度が変化させられるように構成された、冷暖房システムに用いられる遮蔽部材収容ボックスであって；
一面が開口した六面体形状のボックスであって、前記遮蔽部材の少なくとも一部を収容し、前記屋外側天井を構成するボックスと；
前記ボックスが前記開口を下に向けて冷暖房対象室のペリメータゾーンに取り付けられたときに前記開口に対向する底面及び前記開口と前記底面との間のインテリアゾーン側の側面に取り付けられ、前記屋外側天井の温度を周囲の空気の温度とは異なる温度に変える放射パネルとを備える；
遮蔽部材収容ボックス。
【発明の詳細な説明】
【技術分野】
【０００１】
本発明は冷暖房システムに関し、特に放射冷暖房システムに関する。
【背景技術】
【０００２】
近年、省エネルギーと快適性とを両立する冷暖房方式として、放射冷暖房システムが注目されている。放射冷暖房システムは、天井面等に設置された放射パネルを冷やし（温め）、放射パネルからの放射熱により冷暖房対象室の冷暖房を行うシステムである。他方、建物の熱負荷は、一般に、内部ゾーン（インテリアゾーン）よりも外壁部ゾーン（ペリメータゾーン）の方が大きい。このような特性を考慮した放射冷暖房システムとして、インテリアゾーンに対しては内部に通水用のパイプを有する輻射パネルを天井に多数配置してパイプ内部に通水された水の熱交換により放射冷却（加熱）し、ペリメータゾーンに対しては送風機を用いた強制対流方式の空調機で冷暖房を行うものがある（例えば、特許文献１参照。）。
【先行技術文献】
【特許文献】
【０００３】
【特許文献１】特開２００５−１２１２８０号公報（段落０００７、図３等）
【発明の概要】
【発明が解決しようとする課題】
【０００４】
しかしながら、ペリメータゾーンを強制対流方式で冷暖房すると、適切な建物の熱負荷処理ができる反面、強制対流させるための搬送動力が必要となる。
【０００５】
本発明は上述の課題に鑑み、消費エネルギーを抑制しつつペリメータゾーンの温熱環境を改善する冷暖房システムを提供することを目的とする。
【課題を解決するための手段】
【０００６】
上記目的を達成するために、本発明の第１の態様に係る冷暖房システムは、例えば図１に示すように、屋外ＥＸと隣接する側壁ＳＷに窓ガラスＷＧを有する冷暖房対象室ＲのペリメータゾーンＺｐの天井Ｃｐの温度を周囲の空気の温度とは異なる温度に変える天井変温装置１１と；冷暖房対象室Ｒ内で窓ガラスＷＧを覆うように窓ガラスＷＧとの間に隙間Ｓをあけて、天井変温装置１１によって温度が変化させられるペリメータゾーンＺｐの天井Ｃｐｐの鉛直下方に設けられ、窓ガラスＷＧを透過して冷暖房対象室Ｒ内に入る日射を遮る開閉自在の遮蔽部材２１とを備え；遮蔽部材２１が、ペリメータゾーンＺｐの天井Ｃｐｐの直近下方に高さ方向が所定の距離Ｌｈの開口が形成されてペリメータゾーンＺｐの天井Ｃｐｐに取り付けられている。ここで、ペリメータゾーンの天井の直近下方とは、天井変温装置によって温度が変化させられるペリメータゾーンの天井と熱交換が可能な程度に近い位置である。
【０００７】
このように構成すると、遮蔽部材がペリメータゾーンの天井の直近下方に高さ方向が所定の距離の開口が形成されてペリメータゾーンの天井に取り付けられているので、遮蔽部材を越えて空気の流通が可能となり、冷房時は窓ガラスと遮蔽部材との間で温められて上昇した空気がペリメータゾーンの天井で冷やされて室内側で遮蔽部材に沿った下降流となって遮蔽部材の周りを上下方向に自然循環する循環気流となり、遮蔽部材の温度上昇を抑制して冷房効果を向上させることができ、暖房時は外気に冷やされた窓ガラス面に生じる下降気流がこの下降気流となる前にペリメータゾーンの天井で温められているため、下降気流の温度低下が抑制されてコールドドラフトを低減することができる。
【０００８】
また、本発明の第２の態様に係る冷暖房システムは、例えば図１及び図２に示すように、上記本発明の第１の態様に係る冷暖房システムにおいて、ペリメータゾーンの天井Ｃｐが、窓ガラスＷＧ側の一部である屋外側天井Ｃｐｐが遮蔽部材２１の一部を収容可能に上方に窪み、窓ガラスＷＧ側とは反対側の残部である屋内側天井Ｃｐｃが冷暖房対象室ＲのインテリアゾーンＺｃの天井Ｃｃと面一に形成され；屋外側天井Ｃｐｐ及び屋内側天井Ｃｐｃの双方が、天井変温装置１１により温度が変化させられるように構成されている。
【０００９】
このように構成すると、遮蔽部材が開いているときでも屋内側天井で空気の温度が変化させられるため、遮蔽部材の温度上昇抑制効果及びコールドドラフト低減効果を維持することができる。
【００１０】
また、本発明の第３の態様に係る冷暖房システムは、例えば図１に示すように、上記本発明の第１の態様又は第２の態様に係る冷暖房システムにおいて、所定の距離Ｌｈに相当する長さのスペーサ２５であって、天井変温装置１１によって温度が変化させられるペリメータゾーンＺｐの天井Ｃｐｐと遮蔽部材２１とを接続するスペーサ２５を備える。
【００１１】
このように構成すると、ペリメータゾーンの天井と遮蔽部材との間に高さ方向が所定の距離の開口を確実に形成することができる。なお、スペーサが鉄又は鉄よりも熱伝導率が大きい物質で形成されている場合は、ペリメータゾーンの天井の熱（冷熱を含む）を遮蔽部材に伝達することができ、遮蔽部材の温度上昇抑制効果及びコールドドラフト低減効果を向上させることができる。
【００１２】
また、本発明の第４の態様に係る冷暖房システムは、例えば図１に示すように、上記本発明の第１の態様乃至第３の態様のいずれか１つの態様に係る冷暖房システムにおいて、冷暖房対象室Ｒのインテリアゾーンの天井Ｃｃに設けられた放射パネル１６であって、熱媒体ＣＨにより温度が変化させられる放射パネル１６を備え；天井変温装置１１が、放射パネル１６と熱交換した後の熱媒体ＣＨによりペリメータゾーンの天井Ｃｐの温度を変化させるように構成されている。
【００１３】
このように構成すると、熱媒体が保有する熱をインテリアゾーンの建物熱負荷処理に利用した後により建物熱負荷が大きいペリメータゾーンの建物熱負荷処理に利用することとなり、熱媒体が保有する熱量のうち冷暖房に利用可能な熱量を増大させることができる。なお、本明細書において「建物熱負荷」とは、冷暖房対象室内部に存在する発熱要因（例えば、人体、照明器具、その他電気機器等）に基づく熱負荷を除外した、外気との温度差や日射等による建物の構造に起因する熱負荷を意味する語として用いることとする。
【００１４】
また、本発明の第５の態様に係る遮蔽部材収容ボックスは、例えば図４（ａ）に示すように、上記本発明の第２の態様に係る冷暖房システムに用いられるもの５０であって；一面が開口５１ｈした六面体形状のボックス５１であって、遮蔽部材２１の少なくとも一部を収容し、屋外側天井Ｃｐｐを構成するボックス５１と；ボックス５１が開口５１ｈを下に向けて冷暖房対象室のペリメータゾーンに取り付けられたときに開口５１ｈに対向する底面５１ｂ及び開口５１ｈと底面５１ｂとの間のインテリアゾーン側の側面５１ｓに取り付けられ、屋外側天井Ｃｐｐの温度を周囲の空気の温度とは異なる温度に変える放射パネル１２、１３とを備える。
【００１５】
このように構成すると、施工性を向上させることができる。
【発明の効果】
【００１６】
本発明によれば、遮蔽部材がペリメータゾーンの天井の直近下方に高さ方向が所定の距離の開口が形成されてペリメータゾーンの天井に取り付けられているので、遮蔽部材を越えて空気の流通が可能となり、冷房時は窓ガラスと遮蔽部材との間で温められて上昇した空気がペリメータゾーンの天井で冷やされて室内側で遮蔽部材に沿った下降流となって遮蔽部材の周りを上下方向に自然循環する循環気流となり、遮蔽部材の温度上昇を抑制して冷房効果を向上させることができ、暖房時は外気に冷やされた窓ガラス面に生じる下降気流がこの下降気流となる前にペリメータゾーンの天井で温められているため、下降気流の温度低下が抑制されてコールドドラフトを低減することができる。
【図面の簡単な説明】
【００１７】
【図１】本発明の実施の形態に係る冷暖房システムを説明する図である。（ａ）はペリメータゾーンまわりの側面断面図、（ｂ）はペリメータゾーンの窓ガラスまわりの正面図である。
【図２】本発明の実施の形態に係る冷暖房システムの、遮蔽部材を開けている状態のペリメータゾーンまわりを示す側面断面図である。
【図３】本発明の実施の形態に係る冷暖房システムの変形例を示すペリメータゾーンの窓ガラスまわりの正面図である。
【図４】ペリメータ放射パネルの設置態様の変形例を示す図である。（ａ）は屋外側天井まわりの部分側面断面図、（ｂ）は本変形例に用いられる放射パネルの斜視図、（ｃ）は本変形例に用いられる別の形態の放射パネルの部分側面図である。
【発明を実施するための形態】
【００１８】
以下、図面を参照して本発明の実施の形態について説明する。なお、各図において互いに同一又は相当する部材には同一あるいは類似の符号を付し、重複した説明は省略する。
【００１９】
まず図１を参照して、本発明の実施の形態に係る冷暖房システム１を説明する。図１は、冷暖房システム１を説明する図であり、（ａ）はペリメータゾーンＺｐまわりの側面断面図、（ｂ）はペリメータゾーンＺｐの窓ガラスＷＧまわりの正面図である。冷暖房システム１は、冷房又は暖房が行われる対象となる冷暖房対象室としての冷暖房室Ｒに設置されるシステムであり、天井変温装置としてのペリメータ放射パネル１１と、遮蔽部材としてのブラインド２１と、ブラインド２１と天井Ｃｐとの間を所定の距離Ｌｈに保つスペーサ２５とを備えている。
【００２０】
冷暖房室Ｒは、側壁ＳＷによって屋外ＥＸと仕切られている。側壁ＳＷは、建物の外壁を構成し、窓ガラスＷＧが設けられている。窓ガラスＷＧが設けられていることにより、冷暖房室Ｒ内に日射を取り入れることができるようになっている。冷暖房室Ｒは、概念上、ペリメータゾーンＺｐとインテリアゾーンＺｃとに区別することができる。ペリメータゾーンＺｐは、側壁ＳＷに隣接した区域であり、日射の影響を受けやすく、建物熱負荷が比較的大きい区域である。インテリアゾーンＺｃは、側壁ＳＷとの間にペリメータゾーンＺｐを挟んで側壁ＳＷから離れた冷暖房室Ｒ内部の区域であり、建物熱負荷が比較的小さい区域である。
【００２１】
冷暖房室Ｒには天井Ｃが設けられており、説明の便宜上、インテリアゾーンＺｃの天井Ｃをインテリア天井Ｃｃといい、ペリメータゾーンＺｐの天井Ｃをペリメータ天井Ｃｐということとする。ペリメータ天井Ｃｐは、側壁ＳＷに沿って上方に窪んだ屋外側天井Ｃｐｐと、屋外側天井Ｃｐｐよりも下がっている屋内側天井Ｃｐｃとを含んでいる。屋外側天井Ｃｐｐは、少なくとも窓ガラスＷＧの幅にわたって上方に窪んでいると、ブラインド２１を収容可能なブラインドボックス（遮蔽部材ボックス）として機能することとなり好適である。屋内側天井Ｃｐｃは、インテリア天井Ｃｃと面一に設けられている。
【００２２】
ペリメータ放射パネル１１は、熱が伝わる範囲のペリメータ天井Ｃｐの温度を周囲の空気の温度とは異なる温度に変えることができる放射パネルであり、屋外側天井Ｃｐｐの水平面に設けられている上水平放射パネル１２と、屋外側天井Ｃｐｐの垂直面に設けられている垂直放射パネル１３と、屋内側天井Ｃｐｃに設けられている下水平放射パネル１４とを含んでいる。上水平放射パネル１２、垂直放射パネル１３、下水平放射パネル１４は、設置場所に応じた区別を容易にするために呼称するものであり、それぞれ機能・構造は同じである。そのため、これらを個別に説明するときはそれぞれを区別して呼称し、共通の事項について言及するときは「ペリメータ放射パネル１１」と総称する。
【００２３】
ペリメータ放射パネル１１は、板状に形成されたパネルの一方の面に、熱媒体としての冷温水ＣＨ（冷房時は冷水となり、暖房時は温水となる）を流すパイプが配置されて構成されている。パネルは、典型的には矩形（長方形又は正方形）の平面形状を有するが、三角形や六角形等の多角形の平面形状を有していてもよい。パイプは、冷温水ＣＨが保有する冷熱又は温熱をパネル全体に伝達することができるように、蛇行させて接触配置することにより伝熱面積を大きくすることが好ましい。ペリメータ放射パネル１１は、それ自体がペリメータ天井Ｃｐを構成してもよく、ペリメータ天井Ｃｐを形成する天井仕上材とは別体に構成されて該天井仕上材に対して冷熱又は温熱を伝達することができるように取り付けられていてもよい。
【００２４】
ブラインド２１は、典型的には、金属又はプラスチック製のルーバー（スラット）の複数が糸（紐）で繋がれて構成されたベネシャンブラインドである。ブラインド２１は、窓ガラスＷＧの面積以上の面積を有しており、窓ガラスＷＧを覆うことができるようになっている。ブラインド２１は、一体に形成されていてもよく、複数に分割されていてもよい。ブラインド２１が複数に分割される場合は、典型的には、縦長のものが水平方向に並べられて設置される。ブラインド２１は、ルーバーの角度を調節することにより採光量や屋外ＥＸの景色の見える方向を変えることができると共に、ルーバーを巻き上げることで窓ガラスＷＧを露出することができるように構成されている。本実施の形態では、ルーバーを巻き上げて窓ガラスＷＧが露出している状態をブラインド２１が「開」の状態であることとし、ルーバーの角度を変えただけで巻き上げられていない状態はブラインド２１が「閉」の状態であることとする。
【００２５】
ブラインド２１は、スペーサ２５を介して、屋外側天井Ｃｐｐの水平面に取り付けられている。ブラインド２１は、窓ガラスＷＧとの間に隙間Ｓが形成される位置に取り付けられている。ここで、隙間Ｓは、窓ガラスＷＧとブラインド２１との間の空気が温度上昇により上方に向かう流れとなったときにその上昇気流を妨げない距離以上で、冷暖房室Ｒの有効面積を大きくする観点からできるだけ小さい方がよく、例えば１０ｍｍ〜７０ｍｍ、好ましくは３０ｍｍであり、これら以外の寸法でもよい。ブラインド２１は、屋外側天井Ｃｐｐの水平面に対して、奥行き方向（窓ガラスＷＧから冷暖房室Ｒ内側に離れる方向）の中央に取り付けられていることが好ましい。換言すれば、屋外側天井Ｃｐｐの水平面の奥行きが、隙間Ｓの距離の２倍とブラインド２１の厚さとを加えた寸法に形成されていることが好ましい。このようにすると、窓ガラスＷＧとブラインド２１との間を上昇してきた空気がブラインド２１の上端を越えて冷暖房室Ｒ内側に入ったときに、その空気を屋外側天井Ｃｐｐの垂直面にあてて下向きの流れとすることができる。
【００２６】
スペーサ２５は、屋外側天井Ｃｐｐの水平面とブラインド２１の上端とが所定の距離Ｌｈを維持できるように介在させる部材である。ここで、所定の距離Ｌｈは、屋外側天井Ｃｐｐの水平面とブラインド２１の上端との間の空気の流通を妨げない距離である。さらに、所定の距離Ｌｈは、屋外側天井Ｃｐｐの水平面とブラインド２１の上端との間を流通する空気が、上水平放射パネル１２（屋外側天井Ｃｐｐの水平面）と熱交換ができる距離であることが好ましい。なお、屋外側天井Ｃｐｐの垂直放射パネル１３の垂直方向の長さが大きいほど、自然循環による熱交換量が大きくなる。このような条件を考慮して、スペーサ２５は、１０ｍｍ〜３００ｍｍの範囲の任意の長さに形成されており、特に７５ｍｍ〜１５０ｍｍの範囲あるいは１５０ｍｍ〜３００ｍｍの範囲の任意の長さに形成されているとよい。また、スペーサ２５は、鉄、又は鉄よりも熱伝導率が大きい物質である例えばアルミニウム、銅、亜鉛、ニッケルで形成されていると、上水平放射パネル１２の冷熱又は温熱をブラインド２１に伝達させやすくなるので好適である。スペーサ２５は、ボルト等の締結部材自体でもよく、ボルト等が挿通される筒状の部材であってもよい。スペーサ２５はブラインド２１の上端の支持枠（レール）に空気の流通を確保する適宜の間隔をあけて複数が設けられており、換言すれば、複数のスペーサ２５でブラインド２１が屋外側天井Ｃｐｐの水平面に取り付けられている。
【００２７】
冷暖房室Ｒは、さらに、インテリア天井Ｃｃに、放射パネル（以下、ペリメータ放射パネル１１と区別するために「インテリア放射パネル１６」という。）が設けられている。インテリア放射パネル１６は、ペリメータ放射パネル１１と同様に板状のパネルと冷温水ＣＨを流すパイプとを有し、ペリメータ放射パネル１１と同様の機能・構造を有している。インテリア放射パネル１６は、ペリメータ放射パネル１１と同様、それ自体がインテリア天井Ｃｃを構成してもよく、インテリア天井Ｃｃを形成する天井仕上材とは別体に構成されて該天井仕上材に対して冷熱又は温熱を伝達することができるように取り付けられていてもよい。
【００２８】
上水平放射パネル１２、垂直放射パネル１３、下水平放射パネル１４、インテリア放射パネル１６は、それぞれのパイプが連通するように冷温水管１８で接続されている。冷温水管１８は、冷温水ＣＨが、最初にインテリア放射パネル１６のパイプに流入し、その後下水平放射パネル１４のパイプ、垂直放射パネル１３のパイプ、上水平放射パネル１２のパイプの順に流れる流路を形成する態様で配設されている。冷温水ＣＨは、典型的には、冷温水発生機等の熱源機器（不図示）との間を循環し、冷暖房室Ｒ内の温度（周囲環境温度）との差が比較的大きい温度の冷温水ＣＨがインテリア放射パネル１６のパイプに導入され、冷暖房室Ｒ内の温度との差が比較的小さい温度の冷温水ＣＨが上水平放射パネル１２のパイプから導出されるように構成されている。なお、図面における冷温水管１８は、主として接続関係を説明する態様で示されており、実際には天井チャンバ中間に配設されるよりも天井Ｃに沿って配設される。
【００２９】
引き続き図１を参照して、冷暖房システム１の作用を説明する。まず、冷暖房システム１の冷房時の作用を説明する。冷房時は、冷暖房室Ｒ内への日射を遮断して冷房効率を向上させる観点から、ブラインド２１が閉になっている。そして、冷暖房室Ｒの冷房を行うべく、熱源機器（不図示）で冷却された冷温水ＣＨがインテリア放射パネル１６のパイプに導入される。インテリア放射パネル１６に導入された冷温水ＣＨは、インテリア放射パネル１６を冷却することでインテリア放射パネル１６に接する部分のインテリア天井Ｃｃをも冷却して、自身は温度が上昇する（例えば２０℃から２２℃に上昇）。冷温水ＣＨが保有する冷熱によって冷却された部分のインテリア天井Ｃｃは、冷暖房室Ｒ内の物体（人を含む）に冷熱を放射し（厳密に言えば冷暖房室Ｒ内の物体から吸熱する）、冷暖房室Ｒ内のインテリアゾーンＺｃを冷却する。
【００３０】
インテリア放射パネル１６から導出された冷温水ＣＨは、下水平放射パネル１４に導入され、その後垂直放射パネル１３を経由して上水平放射パネル１２を通過後に上水平放射パネル１２から導出される。下水平放射パネル１４、垂直放射パネル１３、上水平放射パネル１２をそれぞれ流れた冷温水ＣＨは、ペリメータ放射パネル１１に接する部分の屋内側天井Ｃｐｃ及び屋外側天井Ｃｐｐ（垂直面及び水平面共）をそれぞれ冷却して自身は温度が上昇する（例えば２２℃から２４℃に上昇）。冷温水ＣＨが保有する冷熱によって冷却された部分の屋内側天井Ｃｐｃ及び屋外側天井Ｃｐｐは、隣接する空気を冷却する。また、冷却された部分の屋内側天井Ｃｐｃ及び屋外側天井Ｃｐｐは、冷熱の放射によりブラインド２１の冷却にも寄与する。一般に、ペリメータゾーンＺｐはインテリアゾーンＺｃよりも建物熱負荷が大きいため、ペリメータ天井Ｃｐを冷却するために、インテリア放射パネル１６を冷却した後の冷温水ＣＨを利用することができる。
【００３１】
ペリメータ放射パネル１１に接する部分のペリメータ天井Ｃｐが冷却されることに伴い隣接する空気が冷却される一方で、窓ガラスＷＧとブラインド２１とに挟まれた隙間Ｓの空間にある空気は、日射により温度が上昇する（例えば４０℃以上となる）。隙間Ｓの空間にある温められた空気は、密度の低下により屋外側天井Ｃｐｐの水平面に向かって上昇する。上昇した空気は、屋外側天井Ｃｐｐの水平面とブラインド２１の上端との間を通り、ブラインド２１を越えて冷暖房室Ｒ内側に移動する。このとき、屋外側天井Ｃｐｐに接した空気は、冷却され、密度が増大して、冷暖房室Ｒ内側をブラインド２１に沿って下降する。このような空気の移動が連続して行われることにより、ブラインド２１に沿って窓ガラスＷＧ側を上昇し冷暖房室Ｒ内側を下降するように空気が密度差によって自然循環し、空気の循環流が形成される。この循環流により、ブラインド２１の冷暖房室Ｒ内側が冷却され、ブラインド２１の温度上昇が抑制されて、冷房効果がさらに向上することとなる。さらに、この循環流は、空気の密度差による自然循環であるため、循環流を発生させるための追加の動力が不要となる。このように、冷暖房システム１によれば、消費エネルギーを抑制しつつペリメータゾーンＺｐの温熱環境を改善することが可能になる。
【００３２】
次に図２を参照して、冷暖房システム１の暖房時の作用を説明する。暖房時は、冷暖房室Ｒ内へ日射を取り入れて日射熱を暖房に寄与させる観点から、ブラインド２１が開になっている。そして、冷暖房室Ｒの暖房を行うべく、熱源機器（不図示）で加熱された冷温水ＣＨがインテリア放射パネル１６のパイプに導入される。インテリア放射パネル１６に導入された冷温水ＣＨは、インテリア放射パネル１６を加熱することでインテリア放射パネル１６に接する部分のインテリア天井Ｃｃをも加熱して、自身は温度が低下する（例えば３０℃から２８℃に低下）。冷温水ＣＨが保有する温熱によって加熱された部分のインテリア天井Ｃｃは、冷暖房室Ｒ内の物体（人を含む）に温熱を放射し、冷暖房室Ｒ内のインテリアゾーンＺｃを暖房する。
【００３３】
インテリア放射パネル１６から導出された冷温水ＣＨは、下水平放射パネル１４に導入され、その後垂直放射パネル１３を経由して上水平放射パネル１２を通過後に上水平放射パネル１２から導出される。下水平放射パネル１４、垂直放射パネル１３、上水平放射パネル１２をそれぞれ流れた冷温水ＣＨは、ペリメータ放射パネル１１に接する部分のペリメータ天井Ｃｐを加熱して自身は温度が低下する（例えば２８℃から２６℃に低下）。冷温水ＣＨが保有する温熱によって加熱された部分のペリメータ天井Ｃｐは、隣接する空気を加熱する。一般に、ペリメータゾーンＺｐはインテリアゾーンＺｃよりも建物熱負荷が大きい（より外気の影響を受けやすい）ため、ペリメータ天井Ｃｐを加熱するために、インテリア放射パネル１６を加熱した後の冷温水ＣＨを利用することができる。
【００３４】
暖房を行うような温熱環境下では、窓ガラスＷＧに隣接する空気が、窓ガラスＷＧ以外の壁に隣接する空気よりも冷やされ、密度がより大きくなる。密度が大きくなった窓ガラスＷＧ添いの空気は、下降して、床を這うように流動する。そして、窓ガラスＷＧ添いの空気が下降することに伴い、天井付近の空気が窓ガラスＷＧの方向に移動して行く。このとき、天井付近の空気は、ペリメータ放射パネル１１によって加熱された部分のペリメータ天井Ｃｐにより温められている。このため、天井から降りてきた空気が窓ガラスＷＧの横を通過して冷やされても、床に到達したときの空気の温度の低下が抑制され、冷暖房室Ｒにおけるコールドドラフトが抑制される。
【００３５】
なお、暖房時においても、例えば夜間に代表されるように、ブラインド２１を閉（図１参照）にする場合がある。このような場合でも、冷暖房システム１では、屋外側天井Ｃｐｐの水平面とブラインド２１の上端との間に、スペーサ２５の長さに相当する空気が流通する空間が形成されているので、窓ガラスＷＧとブラインド２１とに挟まれた隙間Ｓの空間にある空気が冷やされて下降したことに伴って、ペリメータ天井Ｃｐで温められた空気がブラインド２１を越えて隙間Ｓに流入し、コールドドラフトを抑制することができる。
【００３６】
以上の説明では、天井変温装置が放射パネル（ペリメータ放射パネル１１）であるとしたが、放射パネル以外の、例えば、ペルチェ効果を利用して熱の吸収・放出を行う機器のような電気エネルギーで作動する装置を用いてもよい。また、ペリメータ放射パネル１１に導入される熱媒体が水（冷温水ＣＨ）であるとしたが、水以外の流体（例えばブライン等）であってもよい。熱媒体は、典型的には流体であり、パイプ内を流動可能である。
【００３７】
以上の説明では、遮蔽部材がブラインドであるとしたが、カーテン等の、ブラインド以外の日射を遮ることができる部材であってもよい。この場合も、窓ガラスＷＧの近傍に遮蔽部材が存在せず冷暖房室Ｒから見て窓ガラスＷＧが現れている状態（カーテンの場合は寄せて束ねられている状態）が遮蔽部材が開いている状態であり、冷暖房室Ｒから見て窓ガラスＷＧとの間に遮蔽部材が存在している状態（カーテンの場合は引かれている状態）が遮蔽部材が閉じている状態である。
【００３８】
以上の説明では、ペリメータ天井Ｃｐがブラインド２１を収容可能な程度に上方に窪んだ屋外側天井Ｃｐｐを含んでいるとしたが、ペリメータ天井Ｃｐ全体がインテリア天井Ｃｃと面一に構成されていてもよい。また、ペリメータ放射パネル１１が、上水平放射パネル１２、垂直放射パネル１３、下水平放射パネル１４を含んでいることとしたが、冷暖房室Ｒの条件（例えば窓ガラスＷＧの方角等）によっては、垂直放射パネル１３及び／又は下水平放射パネル１４を省略してもよい。
【００３９】
以上の説明では、ブラインド２１がスペーサ２５を介してペリメータ天井Ｃｐに取り付けられているとしたが、図３に示すようにブラインド２１Ａを屋外側天井Ｃｐｐ（ペリメータ天井Ｃｐ）に直に取り付けつつ高さ方向が所定の距離Ｌｈの開口をブラインド２１内に形成することとしてもよい。図３に示す変形例に係る冷暖房システム１Ａでは、ブラインド２１Ａの上部のルーバー（スラット）が所定の距離Ｌｈに相当する枚数分だけ取り除かれている。ルーバーが取り除かれた部分は、残りのルーバーを繋ぐ糸（紐）が現れる以外は開口となっている。そして、ブラインド２１Ａの上端の角柱状の支持枠が取付金具（不図示）を用いて屋外側天井Ｃｐｐに直に取り付けられている。この、直に取り付けられている状態は、仮にルーバーの取り外しがなければ、自然循環する空気の流通が阻害される態様で取り付けられている状態である。冷暖房システム１Ａの上記以外の構成は、冷暖房システム１（図１、図２参照）と同様である。このように構成された冷暖房システム１Ａは、屋外側天井Ｃｐｐに直に取り付けられたブラインド２１Ａの支持枠の直ぐ下方に、高さ方向が所定の距離Ｌｈの開口が形成されている。そして、例えば冷房時は、隙間Ｓの空間にある温められた空気が上昇し、屋外側天井Ｃｐｐの水平面に衝突して向きを変え、冷暖房室Ｒ内側に移動する。このとき、ブラインド２１Ａの支持枠が空気の流通を妨げようとするが、直ぐ下方に所定の距離Ｌｈの開口が形成されているので、暖められた空気は流通が阻害されることなく冷暖房室Ｒ内側に移動することができる。なお、空気がブラインド２１Ａの支持枠を避けるように流れることで屋外側天井Ｃｐｐの水平面から離れて交換熱量が減少することが生じ得る。この場合でも、屋外側天井Ｃｐｐの垂直面に垂直放射パネル１３が設けられていると、空気が屋外側天井Ｃｐｐの垂直面に接触することで熱交換を行うことができるので好ましい。冷暖房システム１Ａは、ブラインド２１Ａを開けたときにブラインド２１Ａと天井面との間に空間がなくなりコンパクトに収納できるという利点がある。
【００４０】
また、図４（ａ）に示すような形態で、ペリメータ放射パネル１１が設けられていることとしてもよい。図４は、ペリメータ放射パネル１１の設置態様の変形例を示す図であり、（ａ）は屋外側天井Ｃｐｐまわりの部分側面断面図、（ｂ）は本変形例に用いられる放射パネルの斜視図、（ｃ）は本変形例に用いられる別の形態の放射パネルの部分側面図である。図４（ａ）に示す変形例に係る設置態様では、上水平放射パネル１２及び垂直放射パネル１３が、上方に窪んだ屋外側天井Ｃｐｐの内側に設置されている。図４（ａ）に示す変形例では、上方に窪んだ屋外側天井Ｃｐｐがブラインドボックスとして機能しているので、上水平放射パネル１２及び垂直放射パネル１３がブラインドボックスの内側に取り付けられていると見ることができる。
【００４１】
図４（ｂ）に外観を示すように、図４（ａ）に示す変形例に用いられるペリメータ放射パネル１１Ｂ（本変形例で用いられるものを前述のものと区別するために符号「１１Ｂ」で表す）は、以下のように構成されている。ペリメータ放射パネル１１Ｂは、基本形状が矩形板状のパネル１１ｂと、冷温水ＣＨを流すパイプ１１ｐとを有している。パネル１１ｂは、本変形例では平面視が長方形に形成されており、短辺を２分割して長辺に平行に延びるように、パイプ１１ｐを収容する窪み１１ｂｄが形成されている。窪み１１ｂｄは、パイプ１１ｐの表面の約半分に接するように、底部がパイプ１１ｐの外周と略一致する断面半円弧状に形成されており、深さはパイプ１１ｐの外径と略等しく形成されている。なお、窪み１１ｂｄは、パイプ１１ｐの表面と接する部分が約半分より少なくてもよいが、冷温水ＣＨが保有する熱をパネル１１ｂの広範囲に伝達することができるように構成されているとよい。パネル１１ｂの四隅には、固定用の締結部材（ビス等）を挿通する挿通孔１１ｂｈが形成されている。パネル１１ｂは、周辺の空気への伝達熱量を多くする観点からは熱伝導率の高い材料を用いるとよく、施工性を向上させる観点からは軽量な材料を用いるのが好ましいところ、本変形例ではアルミニウムで形成されている。パイプ１１ｐは、冷温水管１８（図１（ａ）参照）に接続され、内部に冷温水ＣＨが流れる構成になっている。典型的には、冷温水管１８は天井裏に配設されており、天井仕上材の一部を穿孔してブラインドボックス内に導かれる。冷温水管１８を貫通させるために形成された孔は、パネル１１ｂで隠蔽される。また、パイプ１１ｐは、天井仕上材とパネル１１ｂとに挟まれて、冷暖房室Ｒ内から見えないようになっている。このように構成されたペリメータ放射パネル１１がブラインドボックスの内側に取り付けられると、パイプ１１ｐを流れる冷温水ＣＨの熱がパネル１１ｂ全体に広がり、パネル１１ｂから熱放射が行われて、隣接する空気を冷却又は加熱する。
【００４２】
また、図４（ｃ）に示す形態のペリメータ放射パネル１１Ｃ（本変形例で用いられる別の形態のものを前述のものと区別するために符号「１１Ｃ」で表す）を用いてもよい。ペリメータ放射パネル１１Ｃは、矩形板状のパネル１１ｃと、冷温水ＣＨを流すパイプ１１ｐとを有している。パネル１１ｃは、表面にパイプ１１ｐを把持するサポート１１ｃｓが一体に取り付けられて構成されている。サポート１１ｃｓは、パイプ１１ｐの軸直角断面で見て、パイプ１１ｐの外周の概ね３／４程度に接する形状となっている。サポート１１ｃｓは、パイプ１１ｐを嵌める際には開口が広がるように弾性変形し、パイプ１１ｐが装着されると元に戻ってパイプ１１ｐを把持することとなる。パネル１１ｃも、パネル１１ｂ（図４（ｂ）参照）と同様の観点から材質が選定され、典型的にはアルミニウムで形成されている。パイプ１１ｐはペリメータ放射パネル１１Ｂ（図４（ｂ）参照）で用いられているものと同様の構成であり、内部を流れる冷温水ＣＨの熱がパネル１１ｃ全体に広がり、パネル１１ｃから熱放射が行われて、隣接する空気を冷却又は加熱する点もペリメータ放射パネル１１Ｂ（図４（ｂ）参照）と同様である。ペリメータ放射パネル１１Ｃを用いた場合は、パイプ１１ｐの一部が冷暖房室Ｒ内から見える場合もある。
【００４３】
本変形例のように、上水平放射パネル１２及び垂直放射パネル１３がブラインドボックスの内側に取り付けられた構成にすると、隣接する空気の冷却又は加熱を、より効率よく行うことができる。さらに、ブラインドボックスが鋼板で形成された既製品であって、裏面（天井裏に位置する面）に天井下地材への固定用又は補強用のリブ等の突起あるいは分割搬入されたブラインドボックスの接合用のフランジが形成されていて裏面に放射パネルを設置しにくい場合であっても、ブラインドボックスの内側に取り付けられるので、簡便に設置することができる。また、ブラインドボックスが木で造作されている場合であっても、簡便に設置することができると共に、ブラインドボックス内表面を木よりも熱伝導率が大きい材質とすることが可能になる。
【００４４】
なお、図４（ａ）に示す変形例は、ブラインドボックス５１の内側にペリメータ放射パネル１１Ｂ（１１Ｃ）を取り付けたペリメータ放射パネル付ブラインドボックス５０をあらかじめ工場で製造し、これを現場に搬入して取り付けることで、ブラインドボックス５１が屋外側天井Ｃｐｐを構成して、冷暖房システムを構築している。このとき、ブラインドボックス５１は、典型的には、基本形状が細長い直方体（六面体の一形態）の一面が開口５１ｈとなった構成となる。また、ペリメータ放射パネル１２（１１Ｂ、１１Ｃ）はブラインドボックス５１の底面５１ｂに取り付けられ、ペリメータ放射パネル１３（１１Ｂ、１１Ｃ）はブラインドボックス５１の側面５１ｓに取り付けられている。ペリメータ放射パネル付ブラインドボックス５０は、搬入の便宜上、複数に分割可能（かつ後に組み立てて復元可能）に構成されていてもよい。
【符号の説明】
【００４５】
１    冷暖房システム
１１  ペリメータ放射パネル
１６  インテリア放射パネル
２１  ブラインド
２５  スペーサ
５０  ペリメータ放射パネル付ブラインドボックス
５１  ブラインドボックス
５１ｂ  底面
５１ｈ  開口
５１ｓ  側面
Ｃｃ  インテリアゾーンの天井
Ｃｐ  ペリメータゾーンの天井
Ｃｐｐ  屋外側天井
Ｃｐｃ  屋内側天井
ＣＨ  冷温水
ＥＸ  屋外
ＳＷ  側壁
Ｓ    隙間
ＷＧ  窓ガラス
Ｒ    冷暖房室
Ｚｃ  インテリアゾーン
Ｚｐ  ペリメータゾーン
【図１】
0005489795.tif 000002
【図２】
0005489795.tif 000003
【図３】
0005489795.tif 000004
【図４】
0005489795.tif 000005